(57)【特許請求の範囲】
【請求項１】
障子取付枠とこれに回動自在に取付けられた開き障子との間に取付けられ、かつ開き障子の所定角度以上の開きを阻止する開き止めであって、
一端部が開き障子の縦框に回動自在に取付けられるアームと、
アームを、これが取付けられる縦框と平行な閉状態となるように付勢する付勢手段と、
障子取付枠の縦枠部材に取付けられ、かつ上下方向にのびるベースとを備えており、
ベースに上下方向に長い長穴が形成され、
アームの回動中心がベースの長穴の長さの中央部よりも上方に位置しており、
アームの他端部に長穴内に移動自在に嵌まるピンが固定状に設けられ、
ピンの先端にピンの長穴からの抜けを防止する抜け止め部が設けられ、
ベースにおける長穴の下端と対応する部分に、前側縁部から長穴に至るピン案内用切欠きが形成され、
ベースに、ピンが長穴内にあるときには切欠きを閉鎖し、ピンが長穴から外れてアームが開き障子の縦框に対して閉状態となりかつこの状態で開き障子を閉じたさいに、ピンに押されて開き、これによりピンの切欠きを通っての長穴内への侵入を許容する閉鎖手段が設けられ、
ベースにおける長穴の上端に連なった部分にピンの抜け止め部が通過しうる穴が形成されている開き障子の開き止め。
【請求項２】
閉鎖手段が、ベースに回動自在に取り付けられた閉鎖板と、閉鎖板を閉方向に付勢するばねとよりなり、閉状態にある閉鎖板の前側縁部が後方に向かって傾斜し、ピンが長穴から外れてアームが開き障子の縦框に対して閉状態となりかつこの状態で開き障子を閉じたさいに、ピンが閉鎖板の傾斜前側縁部に当接しかつこれを後方に押すことにより閉鎖板が回動して切欠きが開くようになされている請求項１記載の開き障子の開き止め。
【請求項３】
長穴の上端に前方屈曲部が形成され、前方屈曲部の先端に下方屈曲部が形成されている請求項１または２記載の開き障子の開き止め。
【請求項４】
障子取付枠とこれに回動自在に取付けられた開き障子との間に取付けられ、かつ開き障子の所定角度以上の開きを阻止する開き止めであって、
一端部が開き障子の横框に回動自在に取付けられるアームと、
アームを、これが取付けられる横框と平行な閉状態となるように付勢する付勢手段と、
障子取付枠の横枠部材に取付けられ、かつ左右方向にのびるベースとを備えており、
ベースに左右方向に長い長穴が形成され、
アームの回動中心がベースの長穴の長さの中央部よりも右方に位置しており、
アームの他端部に長穴内に移動自在に嵌まるピンが固定状に設けられ、
ピンの先端にピンの長穴からの抜けを防止する抜け止め部が設けられ、
ベースにおける長穴の左端と対応する部分に、前側縁部から長穴に至るピン案内用切欠きが形成され、
ベースに、ピンが長穴内にあるときには切欠きを閉鎖し、ピンが長穴から外れてアームが障子取付枠の横枠部材に対して閉状態となりかつこの状態で開き障子を閉じたさいに、ピンに押されて開き、これによりピンの切欠きを通っての長穴内への侵入を許容する閉鎖手段が設けられ、
ベースにおける長穴の右端に連なった部分にピンの抜け止め部が通過しうる穴が形成されている開き障子の開き止め。
【請求項５】
閉鎖手段が、ベースに左右方向に移動自在に取付けられた閉鎖板と、閉鎖板を閉方向に付勢するばねとよりなり、閉状態にある閉鎖板の前側縁部が屋内側に向かって傾斜し、ピンが長穴から外れてアームが障子取付枠の横枠部材に対して閉状態となりかつこの状態で開き障子を閉じたさいに、ピンが閉鎖板の傾斜前側縁部に当接しかつこれを後方に押すことにより閉鎖板が移動して切欠きが開くようになされている請求項４記載の開き障子の開き止め。
【発明の詳細な説明】
【０００１】
【発明の属する技術分野】
この発明は、たとえば窓、出入口等において、障子取付枠とそれに回動自在に取付けられた開き障子との間に取付けられて、障子の開きすぎを防止する開き障子の開き止めに関する。
【０００２】
なお、便宜上、以下の説明は窓障子の開き止めについて行うが、この発明は、たとえば出入口の扉等あらゆる種類の開き障子の開き止めに適用できる。また、この明細書において、「平行」という語は、完全な平行状態はもちろんのこと、平行に近いほぼ平行な状態も表すものとする。
【０００３】
また、以下の説明において、図１および図１６の上下を上下といい、開き障子の開く方向、すなわち図９〜図１５の左側および図２５〜図２８の上側を前、これと反対側を後といい、後方から前方を見たさいの左右を左右というものとする。
【０００４】
【従来の技術と発明が解決しようとする課題】
窓障子を開くさいに、これが全閉状態から全開状態まで一挙に開くと、子供等の場合、誤って窓から落下することがあるので、従来から様々な開き止めが用いられている。
【０００５】
しかしながら、従来のいずれの開き止めも、窓障子の所定角度以上の開きを全く許容しないものであった。
【０００６】
したがって、窓障子の清掃を行う場合や、迅速な換気を必要とする場合には不都合であった。
【０００７】
この発明の目的は、上記問題を解決し、通常は開き障子の所定角度以上の開きを阻止し、必要に応じて全開状態にすることもできる開き障子の開き止めを提供することにある。
【０００８】
【課題を解決するための手段と発明の効果】
この発明による開き障子の開き止めは、障子取付枠とこれに回動自在に取付けられた開き障子との間に取付けられ、かつ開き障子の所定角度以上の開きを阻止する開き止めであって、一端部が開き障子の縦框に回動自在に取付けられるアームと、アームを、これが取付けられる縦框と平行な閉状態となるように付勢する付勢手段と、障子取付枠の縦枠部材に取付けられ、かつ上下方向にのびるベースとを備えており、ベースに上下方向に長い長穴が形成され、アームの回動中心がベースの長穴の長さの中央部よりも上方に位置しており、アームの他端部に長穴内に移動自在に嵌まるピンが固定状に設けられ、ピンの先端にピンの長穴からの抜けを防止する抜け止め部が設けられ、ベースにおける長穴の下端と対応する部分に、前側縁部から長穴に至るピン案内用切欠きが形成され、ベースに、ピンが長穴内にあるときには切欠きを閉鎖し、ピンが長穴から外れてアームが開き障子の縦框に対して閉状態となりかつこの状態で開き障子を閉じたさいに、ピンに押されて開き、これによりピンの切欠きを通っての長穴内への侵入を許容する閉鎖手段が設けられ、ベースにおける長穴の上端に連なった部分にピンの抜け止め部が通過しうる穴が形成されているものである。
【０００９】
この発明の開き止めによれば、開き障子の開閉時には、アームのピンがベースの長穴内を移動する。このとき、抜け止め部の働きによりピンが長穴内から抜けることが確実に防止されるので、アームとベースとの係合が誤って解除されることはなく、開き障子を開くさいに一挙に全開状態になることが確実に防止される。ピンが長穴から外れてアームが閉状態にあるときに、開き障子を閉じると、閉鎖手段がピンに押されて切欠きが開き、ピンが切欠きを通って長穴内へ侵入する。ピンが長穴内へ侵入した後は閉鎖手段が切欠きを閉鎖し、これによりピンの切欠きを通っての長穴からの外れが阻止される。ピンが長穴内に侵入すれば、開き障子を開いた場合には、アームのピンはベースの長穴に案内されて長穴の上端側に移動し、長穴の上端に当接してピンの移動が停止させられ、その結果開き障子がそれ以上開くことが阻止される。したがって、子供等が落下することが防止される。また、この状態で、ピンの抜け止め部を穴に通過させることによりピンを長穴から外すと、アームとベースとの係合が解除され、開き障子を全開状態まで開くことができる。したがって、開き障子や障子取付枠の清掃を簡単に行うことができるとともに、迅速な換気が可能になる。ピンを長穴から外すと、付勢手段によりアームは再び閉状態となり、開き障子を閉じると、上記と同様にして、アームのピンがベースの長穴内に侵入する。
【００１０】
上記において、閉鎖手段が、ベースに回動自在に取り付けられた閉鎖板と、閉鎖板を閉方向に付勢するばねとよりなり、閉状態にある閉鎖板の前側縁部が後方に向かって傾斜し、ピンが長穴から外れてアームが開き障子の縦框に対して閉状態となりかつこの状態で開き障子を閉じたさいに、ピンが閉鎖板の傾斜前側縁部に当接しかつこれを後方に押すことにより閉鎖板が回動して切欠きが開くようになされていることがある。
【００１１】
また、上記において、長穴の上端に前方屈曲部が形成され、前方屈曲部の先端に下方屈曲部が形成されていることがある。この場合、開き障子を所定角度開くと、ピンは、長穴の上端に当接した後、前方屈曲部を前方に移動し、アームを付勢している付勢手段の働きによって、下方屈曲部の下端部に至り、その結果開き障子の閉方向への回動も阻止される。
【００１２】
この発明によるもう１つの開き障子の開き止めは、障子取付枠とこれに回動自在に取付けられた開き障子との間に取付けられ、かつ開き障子の所定角度以上の開きを阻止する開き止めであって、一端部が開き障子の横框に回動自在に取付けられるアームと、アームを、これが取付けられる横框と平行な閉状態となるように付勢する付勢手段と、障子取付枠の横枠部材に取付けられ、かつ左右方向にのびるベースとを備えており、ベースに左右方向に長い長穴が形成され、アームの回動中心がベースの長穴の長さの中央部よりも右方に位置しており、アームの他端部に長穴内に移動自在に嵌まるピンが固定状に設けられ、ピンの先端にピンの長穴からの抜けを防止する抜け止め部が設けられ、ベースにおける長穴の左端と対応する部分に、前側縁部から長穴に至るピン案内用切欠きが形成され、ベースに、ピンが長穴内にあるときには切欠きを閉鎖し、ピンが長穴から外れてアームが障子取付枠の横枠部材に対して閉状態となりかつこの状態で開き障子を閉じたさいに、ピンに押されて開き、これによりピンの切欠きを通っての長穴内への侵入を許容する閉鎖手段が設けられ、ベースにおける長穴の右端に連なった部分にピンの抜け止め部が通過しうる穴が形成されているものである。
【００１３】
この発明の第２の開き止めによれば、開き障子の開閉時には、アームのピンがベースの長穴内を移動する。このとき、抜け止め部の働きによりピンが長穴内から抜けることが確実に防止されるので、アームとベースとの係合が誤って解除されることはなく、開き障子を開くさいに一挙に全開状態になることが確実に防止される。ピンが長穴から外れてアームが閉状態にあるときに、開き障子を閉じると、閉鎖手段がピンに押されて切欠きが開き、ピンが切欠きを通って長穴内へ侵入する。ピンが長穴内へ侵入した後は、閉鎖手段が切欠きを閉鎖し、これによりピンの切欠きを通っての長穴からの外れが阻止される。ピンが長穴内に侵入すれば、開き障子を開いた場合には、アームのピンはベースの長穴に案内されて長穴の右端側に移動し、長穴の右端に当接してピンの移動が停止させられ、その結果開き障子がそれ以上開くことが阻止される。したがって、子供等が落下することが防止される。また、この状態で、ピンの抜け止め部を穴に通過させることによりピンを長穴から外すと、アームとベースとの係合が解除され、開き障子を全開状態まで開くことができる。したがって、開き障子や障子取付枠の清掃を簡単に行うことができるとともに、迅速な換気が可能になる。ピンを長穴から外すと、付勢手段によりアームは再び閉状態となり、開き障子を閉じると、上記と同様にして、アームのピンがベースの長穴内に侵入する。
【００１４】
上記において、閉鎖手段が、ベースに左右方向に移動自在に取付けられた閉鎖板と、閉鎖板を閉方向に付勢するばねとよりなり、閉状態にある閉鎖板の前側縁部が屋内側に向かって傾斜し、ピンが長穴から外れてアームが開き障子の横框に対して閉状態となりかつこの状態で開き障子を閉じたさいに、ピンが閉鎖板の傾斜前側縁部に当接しかつこれを後方に押すことにより閉鎖板が移動して切欠きが開くようになされていることがある。
【００１５】
【発明の実施の形態】
以下、この発明の実施の形態を、図面を参照して説明する。
【００１６】
実施形態１
この実施形態は図１〜図１５に示すものである。
【００１７】
図１はこの発明による開き止めが使用された窓を屋内側から見た斜視図、図２はその開き止めの部分を拡大して示す屋外側から見た斜視図、図３〜図８は開き止めを構成する部品を示す図、図９〜図１５は開き止めの動作を示す図である。
【００１８】
図１に示すように、建物の壁(1) の開口部に取付けられた長方形の窓枠(2) の左側の縦枠部材(2a)に、長方形の窓障子(3) が図示しない複数の蝶番により垂直軸を中心に回動しうるように取付けられ、窓枠(2) の右側の縦枠部材(2b)と窓障子(3) の縦框(3a)との間に窓障子(3) の開き止め(4) が取付けられている。窓障子(3) は上から見て反時計方向に回動することにより屋外側、すなわち前方に開くようになっている。なお、以下の説明において、各部品の説明における上下および前後は、それぞれ窓障子(3) の閉位置を基準にしていうものとする。
【００１９】
図２〜図８に示すように、開き止め(4) は、一端部が窓障子(3) の右側の縦框(3a)に取付板(5) を介して回動自在に取付けられるアーム(6) と、アーム(6) を縦框(3a)と平行な閉状態となるように付勢するねじりコイルばね(7) と、窓枠(2) の縦枠部材(2b)に取付けられる上下方向にのびるベース(8) とを備えている。
【００２０】
アーム(6) の両端部は半円状に形成されており、その一端部には円形穴(9) が形成されている。アーム(6) の他端部は、他の部分よりも右方に平行に少し偏位させられており、この偏位部分(6a)に一端部側の円形穴(9) よりは若干小径の円形穴(10)が形成されいる。そして、偏位部分(6a)の円形穴(10)に段付ピン(11)（係合部）の先端小径部(11a) が挿入されて固定されている。段付ピン(11)の頭(11b) が、後述する長穴(21)からのピン(11)の抜けを防止する抜け止め部となっている。また、アーム(6) の後側縁の一端寄りの部分に、右方に突出したばね受け(12)が一体に形成されている。
【００２１】
取付板(5) は上下方向に長い略長方形状をなし、その上部にアーム(6) の一端部の円形穴(9) よりも若干小径の円形穴(13)が形成されている。そして、段付ピン(14)が、右方からアーム(6) の円形穴(9) に緩く通され、その先端小径部(14a) が取付板(5) の円形穴(13)に挿入されてかしめ止められることにより、アーム(6) が取付板(5) に回動自在に取付けられている。取付板(5) の後縁の上端部に右方に突出したばね受け(15)が形成されており、アーム(6) よりも右方において段付ピン(14)の周囲に嵌め被せられたねじりコイルばね(7) の一端部がアーム(6) のばね受け(12)に係合させられ、他端部が取付板(5) のばね受け(15)に係合させられることにより、アーム(6) がねじりコイルばね(7) により縦框(3a)と平行な閉状態となるように付勢されている。取付板(5) の前縁の下部に、右方に立上がり、かつ後方に屈曲されたアーム受け(16)が一体に形成され、これによりアーム(6) が縦框(3a)と平行な閉状態より前方に回動しないようになっている。また、取付板(5) の上下両端の後部に、上下両方向に突出しかつ左方に平行に少し偏位させられた取付座(5a)が一体に形成され、取付座(5a)に形成された穴(17)に通されたねじ(18)を縦框(3a)にねじ嵌めることにより取付板(5) が縦框(3a)に固定されている。
【００２２】
ベース(8) の上下両端部にはそれぞれ右方屈曲部(8a)が形成され、上部右方屈曲部(8a)の先端部が上方に、下部右方屈曲部(8a)の先端部が下方にそれぞれ屈曲されることにより取付座(8b)が一体に形成され、取付座(8b)に形成された穴(19)に通されたねじ(20)を縦枠部材(2b)にねじ嵌めることによりベース(8) が縦枠部材(2b)に固定されている。また、ベース(8) の前後両側縁部に補強用右方屈曲部(8c)が一体に形成されている。
【００２３】
ベース(8) に上下方向に長い長穴(21)（ガイド部）が形成されている。長穴(21)の幅は、段付ピン(11)の直径よりも大きく、頭(11b) の直径よりも小さくなっている。アーム(6) の回動中心、すなわち段付ピン(14)は長穴(21)の長さの中央部よりも上方に位置している。長穴(21)の上端に前方屈曲部(22)が形成され、前方屈曲部(22)の先端に下方屈曲部(23)（移動停止部）が形成されている。
【００２４】
ベース(8) における長穴(21)の下端と対応する部分に、前側縁部から長穴(21)に至るピン案内用切欠き(24)が形成され、前側の補強用右方屈曲部(8c)に、ピン案内用切欠き(24)と連なりかつ段付ピン(11)の頭(11b) が通過しうる切欠き(25)がその左側縁部から形成されている。また、ベース(8) に、段付ピン(11)が長穴(21)内にあるときには切欠き(24)を閉鎖し、ピン(11)が長穴(21)から外れてアーム(6) が縦框(3a)に対して閉状態となりかつこの状態で窓障子(3) を閉じたさいに、ピン(11)に押されて開き、これによりピン(11)の切欠き(24)を通っての長穴(21)内への侵入を許容する閉鎖手段が設けられている。
【００２５】
閉鎖手段は、ベース(8) における長穴(21)の下端よりも後方の部分に回動自在に取り付けられた閉鎖板(26)と、閉鎖板(26)を閉方向、すなわち図６の時計方向に付勢するねじりコイルばね(31)とよりなる。閉鎖板(26)の後端部に円形穴(27)が形成されるとともに、ベース(8) における長穴(21)の下端よりも後方の部分に円形穴(27)よりも若干小径の円形穴(28)が形成され、段付ピン(29)が、右方から閉鎖板(26)の円形穴(27)に緩く通され、その先端小径部(29a) がベース(8) の円形穴(28)に挿入されて固定されることにより、閉鎖板(26)がベース(8) に回動自在に取付けられている。閉鎖板(26)の下縁の前部には右方に突出したばね受け(30)が一体に形成され、閉鎖板(26)よりも右方において段付ピン(29)の周囲に嵌め被せられたねじりコイルばね(31)の一端部が閉鎖板(26)のばね受け(30)に係合させられ、他端部がベース(8) 下端の右方屈曲部(8a)に係合させられることにより、閉鎖板(26)が閉方向に付勢されている。そして、閉鎖板(26)の後縁垂直部の上部が後側の補強用右方屈曲部(8c)に当接することにより、閉鎖板(26)のそれ以上の回動が阻止されている。なお、閉鎖板(26)の後縁部の下部が下方に向かって前方に傾斜するとともに、この傾斜部とそれよりも上方の部分との連接部がアール状となっていることにより、閉鎖板(26)の図６の反時計方向への回動が許容されている。閉状態にある閉鎖板(26)の前側縁部は後方に向かって上方に傾斜している。また、閉鎖板(26)の上縁における長さの中間部には、長穴(21)の下端部と合致する切欠き(34)が形成されている。
【００２６】
ベース(8) における長穴(21)の上端と連なるように、若干後方にのびかつ上方にのびたピン案内穴(32)が形成され、ピン案内穴(32)の上端に連なって段付ピン(11)の頭(11b) よりも大径のピン抜き穴(33)（係合解除部）が形成されている。
【００２７】
このような構成において、図９に示すように、アーム(6) が閉状態にあるときに窓障子(3) を閉じると、ピン(11)が閉鎖板(26)の傾斜前側縁部に当接し、かつこれを後方に押す。その結果、図１０に示すように、閉鎖板(26)がねじりコイルばね(31)の付勢力に抗して下方に回動し、切欠き(24)が開く。そして、ピン(11)は切欠き(24)を通って長穴(21)内の下端に侵入する。ピン(11)が長穴(21)内に侵入すると、図１１に示すように、閉鎖板(26)はねじりコイルばね(31)の付勢力により上方に回動して切欠き(24)が閉鎖され、ピン(11)の長穴(21)からの脱落が防止される。このとき、ピン(11)は閉鎖板(26)の切欠き(34)内に位置している。
【００２８】
ピン(11)が長穴(21)内に入った状態で窓障子(3) を開くと、図１２に示すように、ピン(11)が長穴(21)内を上方に移動するとともにアーム(6) が段付ピン(14)の回りに上方に回動する。そして、窓障子(3) を所定角度開くと、図１３に示すように、ピン(11)は長穴(21)の上端に当接した後、前方屈曲部(22)を前方に移動し、アーム(6) を付勢しているねじりコイルばね(7) の働きによって、下方屈曲部(23)の下端部に至り、その結果窓障子(3) の開閉両方向への回動が阻止される（図１４R>４参照）。したがって、子供等が落下することが防止される。
【００２９】
窓障子(3) の開閉時には、アーム(6) のピン(11)がベース(8) の長穴(21)内を移動する。このとき、抜け止め部である頭(11b) の働きによりピン(11)が長穴(21)内から抜けることが確実に防止されるので、アーム(6) とベース(8) との係合が誤って解除されることはなく、窓障子(3) を開くさいに一挙に全開状態になることが確実に防止される。したがって、この場合にも、子供等が落下することが防止される。
【００３０】
窓障子(3) が所定角度開いた状態で、アーム(6) をねじりコイルばね(7) の付勢力に抗して上方に回動させることにより、下方屈曲部(23)から脱出させ、さらに窓障子(3) を若干閉じることにより、ピン(11)をピン案内穴(32)に侵入させ、ここでアーム(6) 若干上方に回動させることによりピン(11)をピン抜き穴(33)まで移動させ、この状態でアーム(6) を右方に撓ませてピン(11)の頭(11b) を穴(33)に通過させることによりピン(11)を長穴(21)から外すと、アーム(6) とベース(8) との係合が解除され、窓障子(3) を全開状態まで開くことができる。したがって、窓障子(3) や窓枠(2) の清掃を簡単に行うことができるとともに、迅速な換気が可能になる。ピン(11)を長穴(21)から外すと、ねじりコイルばね(7) によりアーム(6) は再び閉状態となり、窓障子(3) を閉じると、上記と同様にして、アーム(6) のピン(11)がベース(8) の長穴(21)内に侵入する。
【００３１】
実施形態２
この実施形態は図１６〜図２８に示すものである。
【００３２】
図１６はこの発明による開き止めが使用された窓を屋内側から見た斜視図、図１７はその開き止めの部分を拡大して屋内側から見た斜視図、図１８は同じく開き止めを拡大して示す平面図、図１９〜図２４は開き止めを構成する部品を示す図、図２５〜図２８は開き止めの動作を示す図である。
【００３３】
図１６に示すように、建物の壁(1) の開口部に取付けられた長方形の窓枠(2)の左側の縦枠部材(2a)に、長方形の窓障子(3) が図示しない複数の蝶番により垂直軸を中心に回動しうるように取付けられ、窓枠(2) の下側の横枠部材(2c)と窓障子(3) の下側の横框(3b)との間に窓障子(3) の開き止め(40)が取付けられている。窓障子(3) は上から見て時計方向に回動することにより屋外側、すなわち前方に開くようになっている。なお、以下の説明において、各部品の説明における前後および左右は、それぞれ窓障子(3) の閉位置を基準にしていうものとする。
【００３４】
図１７〜図２４に示すように、開き止め(40)は、一端部が窓障子(3) の下部横框(3b)に取付板(41)を介して回動自在に取付けられるアーム(42)と、アーム(42)を横框(3b)と平行な閉状態となるように付勢するねじりコイルばね(43)と、窓枠(2) の下側横枠部材(2c)に取付けられる左右方向にのびるベース(44)とを備えている。
【００３５】
アーム(42)の両端部は半円状に形成されており、その一端部には円形穴(45)が形成されている。アーム(42)の他端部は、他の部分よりも上方に平行に少し偏位させられており、この偏位部分(42a) に一端部側の円形穴(45)よりは若干大径の円形穴(46)が形成されいる。そして、上記一端部の円形穴(45)に段付ピン(47)（係合部）の先端小径部(47a) が挿入されて固定されている。段付ピン(47)の頭(47b) が、後述する長穴(59)からのピンの抜けを防止する抜け止め部となっている。また、アーム(42)における偏位部分(42a) とその他の部分とを連結する連結部分(42b) の左側部分にねじりコイルばね(43)の一端を挿入するばね挿入穴(48)が形成されている。
【００３６】
取付板(41)は左右方向に長い略長方形状をなし、その左右の中央部よりも若干右側の部分にアーム(42)の偏位部分(42a) の円形穴(46)よりも若干小径の円形穴(49)が形成されている。そして、段付ピン(50)が、下方からアーム(42)の円形穴(46)に緩く通され、その先端小径部(50a) が取付板(41)の円形穴(49)に挿入されてかしめ止められることにより、アーム(42)が取付板(41)に回動自在に取付けられている。取付板(41)の前縁の右端部に下方に突出したばね受け(51)が形成されており、アーム(42)よりも下側において段付ピン(50)の周囲に嵌め被せられたねじりコイルばね(43)の一端部がアーム(42)のばね挿入穴(48)に挿入させられ、他端部が取付板(41)のばね受け(51)に係合させられることにより、アーム(42)がねじりコイルばね(43)により横框(3b)と平行な閉状態となるように付勢されている。取付板(41)下面の左端部にアーム受け(52)がリベット(53)により固定され、これによりアーム(42)が横框(3b)と平行な閉状態より前方に回動しないようになっている。アーム受け(52)は、左右両側から見て後方に開口した略コ字状であり、その上壁(52a) が取付板(41)下面にリベット(53)で固定されている。アーム受け(52)の下壁(52b) には貫通穴(54)が形成されている。また、取付板(41)の左右両端部に、上方に平行に少し偏位させられた取付座(41a) が一体に形成され、取付座(41a) に形成された穴(55)に下方から通されたねじ(56)を横框(3b)にねじ嵌めることにより取付板(41)が横框(3b)に固定されている。
【００３７】
ベース(44)の左右両端部にはそれぞれ下方屈曲部(44a) が形成され、左側下方屈曲部(44a) の先端部が左方に、右側下方屈曲部(44a) の先端部が右方にそれぞれ屈曲されることにより取付座(44b) が一体に形成され、取付座(44b) に形成された穴(57)に上方から通されたねじ(58)を横枠部材(2c)にねじ嵌めることによりベース(44)が横枠部材(2c)に固定されている。また、ベース(44)の前後両側縁部に補強用下方屈曲部(44c) が一体に形成されている。
【００３８】
ベース(44)に左右方向に長い長穴(59)（ガイド部）が形成されている。長穴(59)の幅は、段付ピン(47)の直径よりも大きく、頭(47b)の直径よりも小さくなっている。アーム(42)の回動中心、すなわち段付ピン(50)は長穴(59)の左右方向の中央部よりも右方に位置している。長穴(59)の右端に右方に向かって前方に湾曲した前方湾曲部(59a) （移動停止部）が形成されている。
【００３９】
ベース(44)における長穴(59)の左端と対応する部分に、前側縁部から長穴(59)に至るピン案内用切欠き(60)が形成され、前側の補強用下方屈曲部(44c) に、ピン案内用切欠き(60)と連なりかつ段付ピン(47)の頭(47b) が通過しうる切欠き(61)がその上側縁部から形成されている。また、ベース(44)に、段付ピン(47)が長穴(59)内にあるときには切欠き(60)を閉鎖し、ピン(47)が長穴(59)から外れてアーム(42)が横框(3b)に対して閉状態となりかつこの状態で窓障子(3) を閉じたさいに、ピン(47)に押されて開き、これによりピン(47)の切欠き(60)を通っての長穴(59)内への侵入を許容する閉鎖手段が設けられている。
【００４０】
閉鎖手段は、長穴(59)よりも前方においてベース(44)下面に沿って左右方向に移動自在に取付けられた閉鎖板(62)と、閉鎖板(62)を左方、すなわち閉方向に付勢する引張コイルばね(63)とよりなる。閉鎖板(62)に、左右方向に間隔をおいて左右方向に長い２つの長穴(64)(65)が形成されている。また、閉鎖板(62)の右端に下方に屈曲されかつ右方に屈曲されたばね係合部(66)が一体に形成されている。閉鎖板(62)の右側の長穴(65)にはその下方から段付ピン(67)が長穴(65)に対して左右方向に移動自在に挿入され、その先端小径部(67a) がベース(44)に形成された円形穴(68)に挿入されてかしめ止められている。また、閉鎖板(62)の左側の長穴(64)にはその下方から段付ピン(69)が長穴(64)に対して左右方向に移動自在に挿入され、その先端小径部(69a) がベース(44)に形成された円形穴(72)に挿入されてかしめ止められている。この段付ピン(69)における閉鎖板(62)よりも下方に突出している部分は、長穴(64)に嵌まっている部分よりも大径となっており、この大径部(69b) の下端は右側の段付ピン(67)の下端よりも下方に位置している。そして、引張コイルばね(63)の左端部が段付ピン(69)の大径部(69b) に、右端部がばね係合部(66)にそれぞれ係合させられることによって、閉鎖板(62)が左方に付勢されている。そして、段付ピン(67)(69)が長穴(65)(64)の右端部に当接することにより、閉鎖板(62)のそれ以上左方への移動が阻止されている。閉状態にある閉鎖板(62)の前縁左端部は左方に向かって後方に傾斜している。
【００４１】
ベース(44)における長穴(59)の前方湾曲部(59a) の中間部と連なるように、右斜め後方にのびたピン案内穴(70)が形成され、ピン案内穴(70)の右端に連なって段付ピン(47)の頭(47b) よりも大径のピン抜き穴(71)（係合解除部）が形成されている。
【００４２】
このような構成において、図２５に示すように、アーム(42)が閉状態にあるときに窓障子(3) を閉じると、ピン(47)が閉鎖板(62)の傾斜前側縁部に当接し、かつこれを後方に押す。その結果、図２６に示すように、閉鎖板(62)が引張コイルばね(63)の付勢力に抗して右方に移動し、切欠き(60)が開く。そして、ピン(47)は切欠き(60)を通って長穴(59)内の左端に侵入する。ピン(47)が長穴(59)内に侵入すると、閉鎖板(62)は引張コイルばね(63)の付勢力により左方に移動し、切欠き(60)が閉鎖されてピン(47)の長穴(59)からの脱落が防止される。
【００４３】
ピン(47)が長穴(59)内に入った状態で窓障子(3) を開くと、ピン(47)が長穴(59)内を右方に移動するとともにアーム(42)が段付ピン(50)の回りに後方に回動する。そして、窓障子(3) を所定角度開くと、図２７に示すように、ピン(47)は、長穴(59)の前方湾曲部(59a) の右端に当接し、アーム(42)を付勢しているねじりコイルばね(43)の働きによってここで停止させられる。その結果、窓障子(3) のそれ以上の開きが阻止される。したがって、子供等が落下することが防止される。
【００４４】
窓障子(3) の開閉時には、アーム(42)のピン(47)がベース(44)の長穴(59)内を移動する。このとき、抜け止め部である頭(47b) の働きによりピン(47)が長穴(59)内から抜けることが確実に防止されるので、アーム(42)とベース(44)との係合が誤って解除されることはなく、窓障子(3) を開くさいに一挙に全開状態になることが確実に防止される。したがって、この場合にも、子供等が落下することが防止される。
【００４５】
窓障子(3) を所定角度開いた状態で、窓障子(3) を若干閉じ、アーム(42)をねじりコイルばね(43)の付勢力に抗して図２７の反時計方向に回動させることにより、ピン(47)をピン案内穴(70)を経てピン抜き穴(71)に侵入させ、さらにアーム(42)を若干上方に撓ませてピン(47)の頭(47b) をピン抜き穴(71)に通過させることによりピン(47)を長穴(59)から外すと、アーム(42)とベース(44)との係合が解除され、窓障子(3) を全開状態まで開くことができる。したがって、窓障子(3)や窓枠(2) の清掃を簡単に行うことができるとともに、迅速な換気が可能になる。ピン(47)を長穴(59)から外すと、ねじりコイルばね(43)によりアーム(42)は再び閉状態となり、窓障子(3) を閉じると、上記と同様にして、アーム(42)のピン(47)がベース(44)の長穴(59)内に侵入する。
【図面の簡単な説明】
【図１】  この発明の実施形態１の開き止めの使用状態を示し、開き止めが使用された窓を屋内側から見た斜視図である。
【図２】  図１の開き止めの部分を拡大して示す屋外側から見た斜視図である。
【図３】  アームと取付板を示す正面図である。
【図４】  図３のIV−IV線拡大断面図である。
【図５】  アームと取付板を示す分解斜視図である。
【図６】  ベースを示す正面図である。
【図７】  図６のVII−VII線拡大断面図である。
【図８】  ベースを示す分解斜視図である。
【図９】  窓障子が開き、アームとベースとの係合が解除されるとともにアームが窓障子の縦框に対して閉じている状態の開き止めを示す左方から見た側面図である。
【図１０】  図９の状態から窓障子が閉じたさいにアームがベースに係合する途中の状態の開き止めを示す左方から見た側面図である。
【図１１】  同じくアームがベースに係合した状態の開き止めを示す左方から見た側面図である。
【図１２】  アームがベースに係合した状態で窓障子を開いた場合の開き止めを示す左方から見た側面図である。
【図１３】  同じく窓障子が所定角度開いた状態の開き止めを示す左方から見た側面図である。
【図１４】  同じく窓障子が所定角度開いて開閉両方向への回動が阻止されている状態の開き止めを示す左方から見た側面図である。
【図１５】  図１４の状態からアームとベースとの係合を解除する途中の状態の開き止めを示す左方から見た側面図である。
【図１６】  この発明の実施形態２の開き止めの使用状態を示し、開き止めが使用された窓を屋内側から見た斜視図である。
【図１７】  図１７の開き止めの部分を拡大して示す屋内側から見た斜視図である。
【図１８】  図１７の開き止めの部分を拡大して示す平面図である。
【図１９】  図１８の一部を切欠いて示すXIX−XIX線拡大断面図である。
【図２０】  図１８のXX−XX線拡大断面図である。
【図２１】  アームと取付板を示す斜視図である。
【図２２】  アームと取付板を示す分解斜視図である。
【図２３】  ベースを示す斜視図である。
【図２４】  ベースを示す分解斜視図である。
【図２５】  窓障子が開き、アームとベースとの係合が解除されるとともにアームが窓障子の横框に対して閉じている状態の開き止めを示す平面図である。
【図２６】  図２５の状態から窓障子が閉じたさいにアームがベースに係合する途中の状態の開き止めを示す平面図である。
【図２７】  同じくアームがベースに係合した後窓障子が所定角度開いた状態の開き止めを示す平面図である。
【図２８】  図２７の状態からアームとベースとの係合を解除する途中の状態の開き止めを示す平面図である。
【符号の説明】
(2)           窓枠（障子取付枠）
(2b)          縦枠部材
(2c)          横枠部材
(3)           窓障子（開き障子）
(3a)          縦框
(3b)          横框
(4)(40)       開き止め
(6)(42)       アーム
(7)(43)       ねじりコイルばね
(8)(44)       ベース
(11)(47)      段付ピン（係合部）
(21)(59)      長穴（ガイド部）
(23)          下方屈曲部（移動停止部）
(33)(71)      ピン抜き穴（係合解除部）
(59a)         前方湾曲部（移動停止部）
【図１】
0003814703.tif 000002
【図２】
0003814703.tif 000003
【図３】
0003814703.tif 000004
【図４】
0003814703.tif 000005
【図５】
0003814703.tif 000006
【図６】
0003814703.tif 000007
【図７】
0003814703.tif 000008
【図８】
0003814703.tif 000009
【図９】
0003814703.tif 000010
【図１０】
0003814703.tif 000011
【図１１】
0003814703.tif 000012
【図１２】
0003814703.tif 000013
【図１３】
0003814703.tif 000014
【図１４】
0003814703.tif 000015
【図１５】
0003814703.tif 000016
【図１６】
0003814703.tif 000017
【図１７】
0003814703.tif 000018
【図１８】
0003814703.tif 000019
【図１９】
0003814703.tif 000020
【図２０】
0003814703.tif 000021
【図２１】
0003814703.tif 000022
【図２２】
0003814703.tif 000023
【図２３】
0003814703.tif 000024
【図２４】
0003814703.tif 000025
【図２５】
0003814703.tif 000026
【図２６】
0003814703.tif 000027
【図２７】
0003814703.tif 000028
【図２８】
0003814703.tif 000029